(57)【要約】【課題】本発明は、同軸ケーブル用のシールドターミナルであるコネクタに関し、当該同軸ケーブルの伝送特性を改良することが課題である。【解決手段】同軸ケーブルの端部において露出された芯線が保持されるコネクタ本体１ｃと、前記同軸ケーブルの編組線をかしめる編組線圧着部１ｂと、当該同軸ケーブルの外皮をかしめる外皮圧着部１ａとが連結されてなるコネクタ１であって、前記コネクタ本体と前記編組線圧着部との間には、両者を連結する中継部１ｅと、前記コネクタ本体１ｃ側から延設されたシールド用延設部１ｈとが配設されている同軸ケーブル用コネクタ１とするものである。【選択図】    図１
2004303692.tif 000002
【特許請求の範囲】
【請求項１】
同軸ケーブルの端部において露出された芯線が保持されるコネクタ本体と、前記同軸ケーブルの編組線をかしめる編組線圧着部と、当該同軸ケーブルの外皮をかしめる外皮圧着部とが連結されてなるコネクタであって、
前記コネクタ本体と前記編組線圧着部との間には、両者を連結する中継部と、前記コネクタ本体側から延設されたシールド用延設部とが配設されていること、
を特徴とする同軸ケーブル用コネクタ。
【請求項２】
シールド用延設部は、中継部と軸心を中心にして略対称に配設されると共に、編組線圧着部と重畳可能にすべく延設され、編組線を前記編組線圧着部でかしめる際には、前記シールド用延設部も編組線とともにかしめられること、
を特徴とする請求項１に記載の同軸ケーブル用コネクタ。
【発明の詳細な説明】
【０００１】
【発明の属する技術分野】
本発明は、同軸ケーブル用のシールドターミナルであるコネクタに係り、詳しくは、同軸ケーブルの伝送特性を改良した同軸ケーブル用コネクタに関する。
【０００２】
【従来の技術】
従来において、同軸ケーブル用コネクタ１０は、図４（Ａ），（Ｂ）に示すように、全体が金属製の導体であり、同軸ケーブル１１の外皮１１ａ部分をかしめて保持するケーブル外皮圧着部１０ａと、前記同軸ケーブルの外皮が剥がされて露出した編組線１１ｂを圧着するケーブル編組線圧着部１０ｂと、同軸ケーブル１１の芯線１１ｃに取り付けた中心コンタクト１２を中心部に挿通させて保持する絶縁物１０ｄを外部導体１０ｆで保持してなるコネクタ本体１０ｃとから概ね構成されている。前記ケーブル編組線圧着部１０ｂとコネクタ本体１０ｃの外部導体１０ｆとは、中継部１０ｅで一体に連結されている。
【０００３】
前記同軸ケーブル用コネクタ１０を使用する際には、同軸ケーブル１１の外皮１１ａを剥がし、更に編組線１１ｂ及び絶縁物１１ｄを剥がして芯線１１ｃを露出させて中心コンタクト１２を取り付けたものを、前記コネクタ本体１０ｃに挿入し、前記ケーブル外皮圧着部１０ａ及びケーブル編組線圧着部１０ｂをかしめてなるものが知られている（例えば、特許文献１参照。）。
【０００４】
【特許文献１】
特開平１１−２７３７９８号公報（第２頁乃至第４頁、図１乃至図３）
【０００５】
【発明が解決しようとする課題】
しかしながら、前記同軸ケーブル用コネクタ１０による、同軸ケーブル１１の伝送特性について考慮すると、前記ケーブル外皮圧着部１０ａ及びケーブル編組線圧着部１０ｂにおいてはその周囲全体が金属製の導電体で囲繞されてシールドされているのに対して、図４（Ｂ）に示すように、中継部１０ｅの部分においては、図４（Ｃ）に示すように、周全体の約１／４〜１／５程度しか金属導体でシールドされておらず、残りの部分が開口している。
【０００６】
よって、前記金属導体で全部が覆われていない中継部１０ｅがあることで、信号とグランド間の電界の収束が良好に行われず、特性インピーダンスの乱れ、電界（電波）の漏れが生じてしまい、また、帰路電流も中継部１０ｅの片側に集中することで、ＶＳＷＲ（Ｖｏｌｔａｇｅ  Ｓｔａｎｄｉｎｇ  Ｗａｖｅ  Ｒａｔｉｏ  ：電圧定在波比）・挿入損失等の伝送特性に悪影響をおよぼすという課題がある。本発明に係る同軸ケーブル用コネクタは、このような課題を解決するために提案されたものである。
【０００７】
【課題を解決するための手段】
上記課題を解決するために、本発明に係る同軸ケーブル用コネクタの要旨は、同軸ケーブルの端部において露出された芯線が保持されるコネクタ本体と、前記同軸ケーブルの編組線をかしめる編組線圧着部と、当該同軸ケーブルの外皮をかしめる外皮圧着部とが連結されてなるコネクタであって、前記コネクタ本体と前記編組線圧着部との間には、両者を連結する中継部と、前記コネクタ本体側から延設されたシールド用延設部とが配設されていることである。
【０００８】
前記シールド用延設部は、中継部と軸心を中心にして略対称に配設されると共に、編組線圧着部と重畳可能にすべく延設され、編組線を前記編組線圧着部でかしめる際には、前記シールド用延設部も編組線とともにかしめられることを含むものである。
【０００９】
本発明に係る同軸ケーブル用コネクタによれば、コネクタ本体と編組線圧着部との間に、シールド用延設部と中継部との二つの導電体が配設されて、この部分における周方向の開口部の割合が減少して、導電体（外部導体）で囲繞される部分が多くなり、シールド効果が増大する。また、前記シールド用延設部も編組線とともにかしめられるようにして、電界の収束や帰路電流の流れがバランス良くなり、特性インピーダンスの乱れが改善されて、電界（電波）の漏れも減少する。更に、シールド用延設部がかしめられて、機械的強度も増大する。
【００１０】
【発明の実施の形態】
次に、本発明に係る同軸ケーブル用コネクタ１について、図面を参照して説明する。従来例に対応する部分には、理解を容易にするため、従来例と同一の符号を付けて説明する。前記同軸ケーブル用コネクタ１は、図１に示すように、同軸ケーブル１１の端部において、絶縁物１１ｄを剥がして露出された芯線１１ｃが保持される円筒状のコネクタ本体１ｃと、前記同軸ケーブル１１の編組線１１ｂをかしめる編組線圧着部１ｂと、当該同軸ケーブル１１の外皮１１ａをかしめる外皮圧着部１ａとが連結されてなる。
【００１１】
前記コネクタ本体１ｃには、円筒状の絶縁物１ｄが内包され、その絶縁物１ｄには、軸心に沿って中心コンタクト挿入用の貫通孔１ｇが穿設されている。
そして、前記コネクタ本体１ｃと前記編組線圧着部１ｂとの間には、両者を連結する中継部１ｅと、前記コネクタ本体１ｃ側から延設されたシールド用延設部１ｈとが配設されている。
【００１２】
前記シールド用延設部１ｈは、図１（Ｃ）に示すように、中継部１ｅと軸心を中心にして略対称に配設されると共に、編組線圧着部１ｂと重畳可能にすべく、中心部に近づくように細い首部１ｉがあって、それから略水平に曲げ加工され、重畳部分が円弧状に加工されて、延設されている。また、前記編組線１１ｂを前記編組線圧着部１ｂでかしめる際には、図１（Ｂ）に示すように、前記シールド用延設部１ｈも編組線１１ｂとともに、かしめられるものである。
【００１３】
このような、同軸ケーブル用コネクタ１の実施例を、図２乃至図３に示す。この同軸ケーブル用コネクタ２，３を使用する際には、同軸ケーブル１１の外皮１１ａを剥がし、更に編組線１１ｂ及び絶縁物１１ｄを剥がして芯線１１ｃを露出させて中心コンタクト１２を取り付けたものを、前記コネクタ本体２ｃ，３ｃに挿入し、前記ケーブル外皮圧着部２ａ，３ａ及びケーブル編組線圧着部２ｂ，３ｂをかしめ、各々のシールド用延設部２ｈ，３ｈも編組線１１ｂとともにかしめるものである。
【００１４】
これによる同軸ケーブル１１用のコネクタ２，３の伝送特性として、ＶＳＷＲを測定すると、以下の表１に示す結果となった。
【表１】
2004303692.tif 000003
【００１５】
このように、本発明に係る同軸ケーブル用コネクタ１では、従来例のものに比較して、ＶＳＷＲが各周波数において、いずれも１．０により近い。よって、同軸ケーブル用コネクタの伝送特性が良くなっていることが判る。
【００１６】
【発明の効果】
上記説明したように、本発明に係る同軸ケーブル用コネクタは、同軸ケーブルの端部において露出された芯線が保持されるコネクタ本体と、前記同軸ケーブルの編組線をかしめる編組線圧着部と、当該同軸ケーブルの外皮をかしめる外皮圧着部とが連結されてなるコネクタであって、前記コネクタ本体と前記編組線圧着部との間には、両者を連結する中継部と、前記コネクタ本体側から延設されたシールド用延設部とが配設されているので、コネクタ本体と前記編組線圧着部との間における外部導体の囲繞範囲が増大して、コネクタの伝送特性が改善されると言う優れた効果を奏するものである。
【００１７】
前記シールド用延設部は、中継部と軸心を中心にして略対称に配設されると共に、編組線圧着部と重畳可能にすべく延設され、編組線を前記編組線圧着部でかしめる際には、前記シールド用延設部も編組線とともにかしめられるので、電界の収束や帰路電流の流れがバランス良くなり、特性インピーダンスの乱れが改善される。更に、シールド用延設部がかしめられて、機械的強度が増大し、腰の強いコネクタとなって製品品質が向上する。
【図面の簡単な説明】
【図１】本発明に係る同軸ケーブル用コネクタの断面図（Ａ）、同使用状態の断面図（Ｂ）、同図（Ｂ）におけるＢ−Ｂ線に沿った断面図（Ｃ）である。
【図２】同本発明に係る同軸ケーブル用コネクタに係る実施例の斜視図（Ａ）、同側面図（Ｂ），（Ｃ）、同断面図（Ｄ）である。
【図３】同本発明に係る同軸ケーブル用コネクタに係る他の実施例の斜視図（Ａ）、同側面図（Ｂ），（Ｃ）、同断面図（Ｄ）である。
【図４】従来例に係る同軸ケーブル用コネクタの断面図（Ａ）、同使用状態の断面図（Ｂ）、同図（Ｂ）におけるＡ−Ａ線に沿った断面図（Ｃ）である。
【符号の説明】
１          同軸ケーブル用コネクタ、  １ａ        外皮圧着部、
１ｂ        編組線圧着部、            １ｃ        コネクタ本体、
１ｄ        絶縁物、                  １ｅ        中継部、
１ｆ        外部導体、                １ｇ        貫通孔、
１ｈ        シールド用延設部、        １ｉ        首部、
２          同軸ケーブル用コネクタ、  ２ａ        外皮圧着部、
２ｂ        編組線圧着部、            ２ｃ        コネクタ本体、
２ｅ        中継部、                  ２ｈ        シールド用延設部、
２ｉ        首部、
３          同軸ケーブル用コネクタ、  ３ａ        外皮圧着部、
３ｂ        編組線圧着部、            ３ｃ        コネクタ本体、
３ｅ        中継部、                  ３ｈ        シールド用延設部、
３ｉ        首部、
１０        従来例に係る同軸ケーブル用コネクタ、
１１        同軸ケーブル、            １１ａ      外皮、
１１ｂ      編組線、                  １１ｃ      芯線、
１１ｄ      絶縁物、                  １２        コンタクト。
【図１】
2004303692.tif 000004
【図２】
2004303692.tif 000005
【図３】
2004303692.tif 000006
【図４】
2004303692.tif 000007